(57)【要約】【課題】本発明は、ケーブル付コネクタに関し、脱着防止用のスクリューロックねじをコネクタ回りに、任意の位置で締結できるようにして、コネクタの実装密度の向上と空間の有効活用を図ることが課題である。【解決手段】コネクタ本体２３ｃと、該コネクタ本体の後方の接続部２３ａを介して接続されたケーブル２４と、前記接続部において設けられるケース２と、該ケース２の両端部の貫通孔２ａ，２ｂにそれぞれ回転自在に遊嵌されるスクリューロックねじ２６と、で構成されるケーブル付コネクタ１において、前記ケース２が前記接続部２３ａに対して回転自在に嵌装されているケーブル付コネクタ１とする。【選択図】図１
2008108436.tif 000002
【特許請求の範囲】
【請求項１】
コネクタ本体と、該コネクタ本体の後方の接続部を介して接続されたケーブルと、前記接続部において設けられるケースと、該ケースの両端部の貫通孔にそれぞれ回転自在に遊嵌されるスクリューロックねじと、で構成されるケーブル付コネクタにおいて、
前記ケースが前記接続部に対して回転自在に嵌装されていること、
を特徴とするケーブル付コネクタ。
【請求項２】
ケースは、両側面を太鼓落としされた外形状にして形成されていること、
を特徴とする請求項１に記載のケーブル付コネクタ。
【発明の詳細な説明】
【技術分野】
【０００１】
本発明は、例えば、コネクタ同士の嵌合において、脱着を確実に防止するためのロックねじが設けられたケーブル付コネクタに関するものである。
【背景技術】
【０００２】
従来、固定用のスクリューロックねじ機構が設けられたコネクタ同士を、接続するには、図７に示すように、例えば、一方のコネクタ２０の左右側部２０ａ，２０ｂにスクリューナット２１が設けられていて、前記スクリューナット２１は、パネル２２や機器筐体の側に設けられた貫通孔２２ａに挿通させて固定されている。
【０００３】
また、前記一方のコネクタ２０に嵌合する他方のケーブル付コネクタ２３には、図８に示すように、コネクタ本体２３ｃの後方に電気信号用のケーブル２４が接続されて一体にされ、当該コネクタ本体２３ｃにおける接続部２３ａに、合成樹脂製のケース２５が左右に一体にして突設されている。このケース２５には、左右両端部に貫通孔２５ａが設けられ、その貫通孔２５ａにスクリューロックねじ２６が回転自在にして遊嵌されている。
【０００４】
前記スクリューナット２１を有するコネクタ２０が、例えば図９（Ａ），（Ｂ）に示すように、電子機器の筐体の一部のパネル２２に固着され且つプリント基板上に半田付けされて実装されており、前記スクリューナット２１が前記パネル２２の貫通孔２２ａに貫通して固定され、その雌ネジ部を機器筐体の外側に突設させている。
【０００５】
前記ケーブル付コネクタ２３は、その雄コネクタ部２３ｂを前記コネクタ２０の雌コネクタ部２０ｃに差し込んで嵌合させ、前記スクリューロックねじ２６の雄ねじ部を前記スクリューナット２１の雌ネジ部に螺合させる。こうして、両コネクタ２０，２３が嵌合し電気的に接続されると共に、前記スクリューロックねじ２６により、ケーブル２４等に引張力が働いても、容易に脱着することがないものである。
【特許文献１】特開平０９−１９０８６１号公報
【発明の開示】
【発明が解決しようとする課題】
【０００６】
しかし、従来のケーブル付コネクタ２３のスクリューロックねじ２６は、合成樹脂製の接続部２３ａに一体に形成される合成樹脂製のケース２５に設けられているので、コネクタ２０とケーブル付コネクタ２３との嵌合方向が決まると、前記スクリューロックねじ２６とスクリューナット２１及び貫通孔２２ａの位置が自動的に決まる。
【０００７】
よって、通常、コネクタ２０を機器のパネル等に水平に取り付けるように配設すると、前記スクリューナット２１及びスクリューロックねじ２６の取付位置も水平に決まってしまうことになり、前記コネクタ２０の左右近傍に他のコネクタ等を高密度に実装させることができない。このような場合に、例えば、前記コネクタ２０の上下の空間が空いていても、通常、複数のコネクタ等を水平に配列するので、有効に利用することができない。本発明に係るケーブル付コネクタは、このような課題を解決するために提案されたものである。
【課題を解決するための手段】
【０００８】
本発明に係るケーブル付コネクタの上記課題を解決して目的を達成するための要旨は、コネクタ本体と、該コネクタ本体の後方の接続部を介して接続されたケーブルと、前記接続部において設けられるケースと、該ケースの両端部の貫通孔にそれぞれ回転自在に遊嵌されるスクリューロックねじと、で構成されるケーブル付コネクタにおいて、前記ケースが前記接続部に対して回転自在に嵌装されていることである。
また、前記ケースは、両側面を太鼓落としされた外形状にして形成されていることを含むものである。
【発明の効果】
【０００９】
本発明のケーブル付コネクタによれば、前記ケーブル付コネクタ側のケースが回転自在なので、機器のパネル側のコネクタ本体の左右方向を通常通りに水平にしてコネクタを取り付けて、そのスクリューナット若しくはパネルに刻設したナット部を前記コネクタ本体に対して斜め方向や直交方向に回転させた位置に取り付けても、前記ケーブル付コネクタ側のケースをそのコネクタ軸心の回りに回転させ自由に位置決めしてスクリューロックねじを前記スクリューナット若しくはパネルのナット部に螺合させることができる。
【００１０】
よって、機器のパネル側に固定されるコネクタが、その左右方向を水平にしてパネルに取付られても、スクリューナットの前記パネルに対する取付位置は、前記コネクタの斜めや上下に空いた空間が在れば、自由にそこに配設することができる。これによって、ケーブル付コネクタ側のケースが回転自在であることによって部品配置の設計自由度が増し、前記機器のパネル側のコネクタの左右近傍に、他の信号用コネクタを高密度に配設することができる。機器のパネル側の空間の有効利用が可能となる。
【００１１】
また、機器のパネル側のコネクタには、スクリューナットを装備することなく、パネルにスクリューロックねじ用の雌ねじを刻設してナット部とすることができるので、当該パネル側のコネクタにおける部品点数が削減されて、コスト低減となる。
更に、前記ケースは、両側面を太鼓落としされた外形状にして形成されているので、隣接するコネクタとの間に空間が形成されて、前記パネル側の他のコネクタに接続されるコネクタの邪魔にならず、コネクタ接続の作業がし易くなる。
【発明を実施するための最良の形態】
【００１２】
本発明に係るケーブル付コネクタ１の構成について説明する。なお、従来例に対応する部分には従来例と同一の符号を付けて説明する。このケーブル付コネクタ１は、図１に示すように、コネクタ本体２３ｃと、該コネクタ本体２３ｃの後方の接続部２３ａを介して接続されたケーブル２４と、前記接続部２３ａにおいて設けられるケース２と、該ケース２の両端部の貫通孔２ａ，２ｂにそれぞれ回転自在に遊嵌されるスクリューロックねじ２６とで構成されていて、前記ケース２が前記接続部２３ａに対して回転自在に嵌装されている。
【００１３】
前記コネクタ本体２３ｃは、雄コネクタ部２３ｂを有し、接続部２３ａでケーブル２４と接続されており、この接続部２３ａには、絶縁体で合成樹脂製の外殻体３が被覆されている。そして、前記外殻体３は、図２に示すように、コネクタ軸線方向（長手方向）において、途中に、ケース嵌合用で小径の円筒部３ａが設けられ、その後部に該円筒部３ａより大径の蓋部３ｂが設けられてている。組立時においては、前記円筒部３ａに、前記ケース２が先に回転自在に嵌合され、その後に、コネクタ軸線方向の後方からケーブル２４に予め一端側から挿通された前記蓋部３ｂが挿着されてロックされる。
【００１４】
前記ケーブル付コネクタ１は、図３に示すように、コネクタ本体２３ｃの左右方向を水平とした場合に、前記ケース２を前記外殻体３の円筒部３ａで回転させることで、貫通孔２ａ，２ｂの中心軌跡２ｃに沿って、上下方向に貫通孔２ａ，２ｂを配置させたり、または、破線で示すように、左右方向に配置させたり（図４参照）、更には、適宜角度で斜めに配置させたりすることができる。
【００１５】
一方、前記ケーブル付コネクタ１に嵌合される機器のパネル側に固定されるコネクタ４は、図４に示すように、コネクタ部だけであり、従来例に示したコネクタ２０のように、スックリューナット２１，２１を装備する必要がない。これは、図６に示すように、機器のパネル５に、スクリューロックねじ２６用の雌ねじ部５ａ，５ｂを、コネクタ４用の貫通孔５ｃの周囲にその中心から所定の距離でもって、水平に配置した場合（同図（Ａ））、上下方向に配置した場合（同図（Ｂ））、水平方向から６０°反時計方向に回転させた位置に配置した場合（同図（Ｃ））、と任意に刻設して、ナット部を形成することができるからである。
【００１６】
このようにして、回転自在なケース２を有するケーブル付コネクタ１を、図６（Ａ）に示すコネクタ４に接続した場合には従来と同様であるが、図６（Ｂ）に示すように、雌ねじ部５ａ，５ｂを上下方向にすると、ケーブル付コネクタ１の雄コネクタ部２３ｂを、コネクタ４の雌コネクタ部４ａに位置合わせして嵌合させ、図２に示すように、貫通孔２ａ，２ｂ及びスクリューロックねじ２６を上下方向に回転移動させて、前記雌ねじ部に螺合させることで脱着防止して接続され、パネル５側では、前記コネクタ４の左右近傍に、他のコネクタ等を密に配設することができる。
【００１７】
また、他の実施例に係るケーブル付コネクタ１として、前記ケース２は、両側面２ｄ，２ｅを太鼓落としされた外形状にして形成されている。これにより、前記パネル５側のコネクタ４の近傍に配置された他のコネクタに接続されるケーブル等の邪魔にならないようにすることができる。
【図面の簡単な説明】
【００１８】
【図１】本発明に係るケーブル付コネクタ１の斜視図である。
【図２】同本発明のケーブル付コネクタ１のケース２を回転させた状態の一例を示す斜視図（Ａ）と、平面図（Ｂ）と、正面図（Ｃ）と、側面図（Ｄ）とである。
【図３】同ケーブル付コネクタ１において、ケース２が回転自在であることを示す正面視した説明図である。
【図４】同本発明のケーブル付コネクタ１のケース２を回転させ水平状態にした例を示す斜視図（Ａ）と、平面図（Ｂ）と、正面図（Ｃ）と、側面図（Ｄ）とである。
【図５】コネクタ４の平面図（Ａ）と、正面図（Ｂ）と、側面図（Ｃ）とである。
【図６】機器のパネル５にコネクタ４を固定し、スクリューロックねじ用の雌ねじ部５ａ，５ｂを任意の角度で配置した状態の例を示す一部正面図（Ａ），（Ｂ），（Ｃ）である。
【図７】従来例に係る一方のコネクタ２０の平面図（Ａ）と、正面図（Ｂ）と、側面図（Ｃ）とである。
【図８】同従来例に係るケーブル付コネクタ２３の平面図（Ａ）と、側面図（Ｂ）と、正面図（Ｃ）とである。
【図９】同従来例に係るケーブル付コネクタ２３の使用状態を示す平面図（Ａ）と、側面図（Ｂ）とである。
【符号の説明】
【００１９】
１              ケーブル付コネクタ、
２              ケース、
２ａ，２ｂ                    貫通孔、
２ｃ            中心軌跡、
２ｄ，２ｅ                    側面、
３              外殻体、                  ３ａ              円筒部、
３ｂ            蓋部、
４              コネクタ、                ４ａ              雌コネクタ部、
５              機器のパネル、          
５ａ，５ｂ                    雌ねじ部、
５ｃ            貫通孔、
２０            一方のコネクタ、        
２０ａ，２０ｂ                左右側部、
２０ｃ          雌コネクタ部、
２１            スクリューナット、
２２            パネル、
２３            ケーブル付コネクタ、      ２３ａ            接続部、
２３ｂ          雄コネクタ部、            ２３ｃ            コネクタ本体部、
２４            ケーブル、
２５            ケース、                  ２５ａ            貫通孔、
２６            スクリューロックねじ。
【図１】
2008108436.tif 000003
【図２】
2008108436.tif 000004
【図３】
2008108436.tif 000005
【図４】
2008108436.tif 000006
【図５】
2008108436.tif 000007
【図６】
2008108436.tif 000008
【図７】
2008108436.tif 000009
【図８】
2008108436.tif 000010
【図９】
2008108436.tif 000011